【事件の表示】
　特許第３３５９１２６号「眼底カメラ」の請求項１ないし４に係る特許に対する特許異議の申立てについて、次のとおり決定する。
【結　論】
　訂正を認める。
　特許第３３５９１２６号の請求項１、２に係る特許を取り消す。
【理　由】
１．手続の経緯
　
　本件の特許第３３５９１２６号の請求項１−４に係る発明は、平成５年１０月８日に特許出願され、平成１４年１０月１１日にその特許権の設定登録がなされ、その後、異議申立人石川郁子より特許異議の申立てがなされ、取消の理由が通知され、その指定期間内である平成１５年１２月１１日に訂正請求がなされたものである。
　
２．訂正の適否についての判断
　
２−（１）訂正の内容
　
（訂正事項ａ）
　特許請求の範囲の請求項１の「被検眼の眼底を孔あきミラーを介して結像する第１の光学系と、該第１の光学系の眼底共役位置に配置した視野絞りと、前記第１の光学系により前記視野絞りの近傍に結像した眼底像を少なくとも２種類の倍率で再結像する第２の光学系と、該第２の光学系の眼底像の再結像位置に配置した記録手段とを有することを特徴とする眼底カメラ。」を、
「被検眼の眼底を孔あきミラーを介して結像する第１の光学系と、該第１の光学系の眼底共役位置に配置した視野絞りと、前記第１の光学系により前記視野絞りの近傍に結像した眼底像を少なくとも２種類の倍率で再結像する第２の光学系と、前記視野絞り付近に設け、前記第２の光学系の結像倍率に応じて異なる焦点距離又は異なる配置に設定可能な第３の光学系と、前記第２の光学系の眼底像の再結像位置に配置した撮像手段とを有し、前記第２の光学系が低倍率時には前記視野絞りと共に前記撮像手段の撮像面上に結像した眼底像を撮像し、前記第２の光学系が高倍率時には前記視野絞りの像を含まず前記低倍率時よりも拡大されて前記撮像面上に結像した眼底像を撮像することを特徴とする眼底カメラ」と訂正する。
　
（訂正事項ｂ）
　特許請求の範囲の請求項２の「前記第２の光学系の結像倍率に応じ、異なる焦点距離又は異なる位置に設定可能な第３の光学系を、前記視野絞り付近に設けた請求項１に記載の眼底カメラ。」を削除する。
　
（訂正事項ｃ）
　特許請求の範囲の請求項３の「前記記録手段は前記第２の光学系が低倍率時には前記撮影絞りの像を記録し、前記第２の光学系が高倍率時には前記視野絞りの像を記録しない請求項１に記載の眼底カメラ。」を削除する。
　
（訂正事項ｄ）
　特許請求の範囲の請求項４の「前記記録手段は色分解光学系を有する３板式テレビカメラであり、前記第３の光学系は全光学系の射出瞳が常に略無限遠になるように、焦点距離又はレンズ位置を設定する手段を有する請求項２に記載の眼底力メラ。」を、
　請求項２に訂正すると共に、「前記撮像手段は色分解光学系を有する３板式テレビカメラであり、前記第３の光学系は全光学系の射出瞳が常に略無限遠になるように、焦点距離又はレンズ位置を設定する手段を有する請求項１に記載の眼底力メラ。」と訂正する。
　
（訂正事項ｅ）
　特許明細書の段落番号【０００４】の「本発明の目的は、上述の問題点を解消し、拡大撮影時に記録手段の全ての有効領域を用いて、眼底像の観察及び記録を行い得る眼底カメラを提供することにある。」を、
「本発明の目的は、上述の問題点を解消し、拡大撮影時に撮像手段の全ての有効領域を用いて、眼底像の観察及び撮像を行い得る眼底カメラを提供することにある。」と訂正する。
　
（訂正事項ｆ）
　特許明細書の段落番号【０００５】の「【課題を解決するための手段】上記目的を達成するための本発明に係る眼底カメラは、被検眼の眼底を孔あきミラーを介して結像する第１の光学系と、該第１の光学系の眼底共役位置に配置した視野絞りと、前記第１の光学系により前記視野絞りの近傍に結像した眼底像を少なくとも２種類の倍率で再結像する第２の光学系と、該第２の光学系の眼底像の再結像位置に配置した記録手段とを有することを特徴とする。」を、
「【課題を解決するための手段】上記目的を達成するための本発明に係る眼底カメラは、被検眼の眼底を孔あきミラーを介して結像する第１の光学系と、該第１の光学系の眼底共役位置に配置した視野絞りと、前記第１の光学系により前記視野絞りの近傍に結像した眼底像を少なくとも２種類の倍率で再結像する第２の光学系と、前記視野絞り付近に設け、前記第２の光学系の結像倍率に応じて異なる焦点距離又は異なる配置に設定可能な第３の光学系と、前記第２の光学系の眼底像の再結像位置に配置した撮像手段とを有し、前記第２の光学系が低倍率時には前記視野絞りと共に前記撮像手段の撮像面上に結像した眼底像を撮像し、前記第２の光学系が高倍率時には前記視野絞りの像を含まず前記低倍率時よりも拡大されて前記撮像面上に結像した眼底像を撮像することを特徴とする。」と訂正する。
　
（訂正事項ｇ）
　特許明細書の段落番号【０００６】の「【作用】上述の構成を有する眼底カメラは、眼底像を光束制限部材の被検眼側に一旦結像し、拡大撮影時には変倍光学系を高倍率にし、光束制限部材の光軸部付近の眼底像を拡大し、記録手段により記録する。」を、
「【作用】上述の構成を有する眼底カメラは、眼底像を視野絞りの被検眼側に一旦結像し、拡大撮影時には変倍光学系を高倍率にし、視野絞りの光軸部付近の眼底像を拡大し、撮像手段により撮像する。」と訂正する。
　
（訂正事項ｈ）
　特許明細書の段落番号【０００８】の「光源１０を発した光束は、リング絞り９の開口部、レンズ８を通り、孔あきミラー２のミラー部により左方に反射され、対物レンズ１を通り被検眼Ｅの眼底Ｅｒを照明する。ここでの反射光束は、瞳孔Ｅｐ、対物レンズ１、孔あきミラー２の開口部、撮影レンズ３、フィールドレンズ４を通り、視野絞り５の近傍に眼底像として一旦結像し、結像レンズ６により撮影手段７の撮像面７ａに再度結像する。この撮像面７ａ上の眼底像Ｐｒはビデオ信号に変換され、制御手段１１を介してテレビモニタ１２に映出される。撮影者はこのテレビモニタ１２に映出されている眼底動画像を観察し、撮影レンズ３を調整して眼底像Ｐｒの照準を合わせ、結像レンズ６を調整して観察倍率を決める。そして、撮影スイッチ１３を押し、必要な画像を制御手段１１の内部の記憶手段に静止画像として記録する。」を、
「光源１０を発した光束は、リング絞り９の開口部、レンズ８を通り、孔あきミラー２のミラー部により左方に反射され、対物レンズ１を通り被検眼Ｅの眼底Ｅｒを照明する。ここでの反射光束は、瞳孔Ｅｐ、対物レンズ１、孔あきミラー２の開口部、撮影レンズ３、フィールドレンズ４を通り、視野絞り５の近傍に眼底像として一旦結像し、結像レンズ６により撮像手段７の撮像面７ａに再度結像する。この撮像面７ａ上の眼底像Ｐｒはビデオ信号に変換され、制御手段１１を介してテレビモニタ１２に映出される。撮影者はこのテレビモニタ１２に映出されている眼底動画像を観察し、撮影レンズ３を調整して眼底像Ｐｒの照準を合わせ、結像レンズ６を調整して観察倍率を決める。そして、撮影スイッチ１３を押し、必要な画像を制御手段１１の内部の記憶手段に静止画像として記録する。」と訂正する。
　
（訂正事項ｉ）
　特許明細書の段落番号【０００９】の「通常撮影時には、結像レンズ６を低倍率側に移動する。この結像レンズ６により、視野絞り５上の眼底像Ｐｒは視野絞り像Ｐｓと共に撮影手段７の撮像面７ａで撮像する。このため、テレビモニタ１２では視野絞り像Ｐｓは暗視され、観察視野が制限された眼底像Ｐｒが映出される。」を、
「通常撮影時には、結像レンズ６を低倍率側に移動する。この結像レンズ６により、視野絞り５上の眼底像Ｐｒは視野絞り像Ｐｓと共に撮像手段７の撮像面７ａで撮像する。このため、テレビモニタ１２では視野絞り像Ｐｓは暗視され、観察視野が制限された眼底像Ｐｒが映出される。」と訂正する。
　
（訂正事項ｊ）
　特許明細書の段落番号【００１０】の「拡大撮影時には、結像レンズ６を高倍率側に移動する。結像レンズ６により視野絞り５の開口部の眼底像Ｐｒが拡大されて、撮影手段７の全撮像面７ａで結像し、図２に示すようにテレビモニタ１２の画面全体に映出される。」を、
「拡大撮影時には、結像レンズ６を高倍率側に移動する。結像レンズ６により視野絞り５の開口部の眼底像Ｐｒが拡大されて、撮像手段７の全撮像面７ａで結像し、図２に示すようにテレビモニタ１２の画面全体に映出される。」と訂正する
　
（訂正事項ｋ）
　特許明細書の段落番号【００１１】の「このように何れの撮影モードにおいても、撮影手段７の撮像面７ａでは、視野絞り５の開口部の眼底像Ｐｒのみが結像し、視野絞り５において光軸周縁部の光東を遮光し、前眼部からのゴースト光やフレア光が撮像光束内に混入しないようにしているため、テレビモニタ１２には視認性の良好な眼底像Ｐｒを観察できる。」を誤記の訂正を目的として、
「このように何れの撮影モードにおいても、撮像手段７の撮像面７ａでは、視野絞り５の開口部の眼底像Ｐｒのみが結像し、視野絞り５において光軸周縁部の光束を遮光し、前眼部からのゴースト光やフレア光が撮像光束内に混入しないようにしているため、テレビモニタ１２には視認性の良好な眼底像Ｐｒを観察できる。」と訂正する。
　
（訂正事項１）
　特許明細書の段落番号【００１４】の「【発明の効果】以上説明したように本発明に係る眼底カメラは、拡大撮影時に撮影絞りの記録手段側の第２の光学系を高倍率にすることにより、撮影絞りの開口部の眼底像を拡大し、記録手段の全有効領域で眼底像を撮像することができる。」を、
「【発明の効果】以上説明したように本発明に係る眼底カメラは、拡大撮影時に視野絞りの撮像手段側の第２の光学系を高倍率にすることにより、視野絞りの開口部の眼底像を拡大し、撮像手段の全有効領域で眼底像を撮像することができる。」と訂正する。
　
２−（２）訂正の目的の可否、新規事項の追加の有無及び拡張・変更の存否
　
　（訂正事項ａ）は、訂正前の請求項１の記載において、（イ）「前記視野絞り付近に設け、前記第２の光学系の結像倍率に応じて異なる焦点距離又は異なる配置に設定可能な第３の光学系」を備える旨限定し、（ロ）「該第２の光学系の眼底像の再結像位置に配置した記録手段」における「記録手段」を「撮像手段」と訂正し、（ハ）「前記第２の光学系が低倍率時には前記視野絞りと共に前記撮像手段の撮像面上に結像した眼底像を撮像し、前記第２の光学系が高倍率時には前記視野絞りの像を含まず前記低倍率時よりも拡大されて前記撮像面上に結像した眼底像を撮像する」ものである旨限定するものであり、（イ），（ハ）は、特許請求の範囲の減縮を、（ロ）は、特許請求の範囲の減縮又は明りょうでない記載の釈明を目的とするものである。
　また、（訂正事項ａ）のうち、（イ）は、特許明細書の請求項２、段落番号【０００７】、【０００８】、【００１２】欄の記載及び図１に基づくもの、（ロ）は、特許明細書の段落番号【０００８】〜【００１１】欄の記載に基づくもの、（ハ）特許明細書の請求項３、段落番号【０００９】、【００１０】、【００１１】の記載及び図２に基づくものであり、（訂正事項ａ）は、願書に添付した明細書又は図面に記載した事項の範囲内でされたものである。
　
　（訂正事項ｂ）及び（訂正事項ｃ）は、請求項２、３をそれぞれ削除したものであり、特許請求の範囲の減縮を目的とするものである。
　
　（訂正事項ｄ）は、（訂正事項ａ）による「記録手段」を「撮像手段」への訂正、及び（訂正事項ｂ）、（訂正事項ｃ）による訂正に伴って整合を図るため、請求項４を新たに請求項２と訂正すると共に、請求項１に従属するように訂正するものであり、明りょうでない記載の釈明を目的とするものである。
　
　（訂正事項ｅ）は、（訂正事項ａ）による訂正に伴って、発明の詳細な説明の記載（【０００４】欄）を請求項の記載に整合するように訂正するものであり、明りょうでない記載の釈明を目的とするものである。
　また、訂正事項（ｅ）は、特許明細書の段落番号【０００８】〜【００１１】欄の記載に基づくものであり、願書に添付した明細書又は図面に記載した事項の範囲内でされたものである。
　
　（訂正事項ｆ）は、（訂正事項ａ）の訂正に伴って、発明の詳細な説明の【課題の解決するための手段】の記載（【０００５】欄）を請求項の記載に整合するように訂正するものであり、明りょうでない記載の釈明を目的とするものである。
　また、訂正事項（ｆ）は、特許明細書の請求項２、請求項３、段落番号【０００７】〜【００１２】欄の記載及び図１、図２に基づくものであり、願書に添付した明細書又は図面に記載した事項の範囲内でされたものである。
　
　（訂正事項ｇ）は、（訂正事項ａ）による訂正に伴って、発明の詳細な説明の【作用】の記載（【０００６】欄）を請求項１の記載に整合するように、「光束制限部材」を「視野絞り」に、「記録」を「撮像」と訂正するものであり、明りょうでない記載の釈明を目的とするものである。
　また、訂正事項（ｇ）は、特許明細書の請求項１−３、段落番号【０００７】〜【００１２】欄の記載及び図１の記載に基づくものであり、願書に添付した明細書又は図面に記載した事項の範囲内でされたものである。
　
　（訂正事項ｈ）、（訂正事項ｉ）、（訂正事項ｊ）及び（訂正事項ｋ）は、発明の詳細な説明の記載（【０００８】−【００１１】欄）における、「撮影手段７」を「撮像手段７」とそれぞれ訂正するものであり、誤記の訂正を目的とするものである。
　また、これらの訂正事項は、特許明細書の段落番号【０００７】、【００１２】欄の記載に基づくものであり、願書に添付した明細書又は図面に記載した事項の範囲内でされたものである。
　
　（訂正事項１）は、（訂正事項ａ）による訂正に伴って、発明の詳細な説明の【効果】の記載（【００１４】欄）を請求項１の記載に整合するように、「撮影絞り」を「視野絞り」に、「記録手段」を「撮像手段」と訂正するものであり、明りょうでない記載の釈明を目的とするものである。
　また、（訂正事項ｌ）は、特許明細書の請求項１−３、段落番号【０００７】〜【００１２】欄の記載及び図１の記載に基づくものであり、願書に添付した明細書又は図面に記載した事項の範囲内でされたものである。
　
　さらに、これら（訂正事項ａ）乃至（訂正事項ｌ）は、実質上特許請求の範囲を拡張し、又は変更するものではない。
　
２−（３）むすび
　
　以上のとおりであるから、上記訂正は、特許法第１２０条の４第３項において準用する平成６年法律第１１６号による改正前の特許法第１２６条第１項ただし書、第２項及び第３項の規定に適合するので、当該訂正を認める。
　
３．特許異議申立てについての判断
　
　上記のとおり訂正は認められるから、本件の請求項１，２に係る発明（以下、本件第１，第２発明という。）は、訂正明細書の特許請求の範囲の請求項１，２に記載された次のとおりのものである。
　
「【請求項１】　被検眼の眼底を孔あきミラーを介して結像する第１の光学系と、該第１の光学系の眼底共役位置に配置した視野絞りと、前記第１の光学系により前記視野絞りの近傍に結像した眼底像を少なくとも２種類の倍率で再結像する第２の光学系と、前記視野絞り付近に設け、前記第２の光学系の結像倍率に応じて異なる焦点距離又は異なる配置に設定可能な第３の光学系と、前記第２の光学系の眼底像の再結像位置に配置した撮像手段とを有し、前記第２の光学系が低倍率時には前記視野絞りと共に前記撮像手段の撮像面上に結像した眼底像を撮像し、前記第２の光学系が高倍率時には前記視野絞りの像を含まず前記低倍率時よりも拡大されて前記撮像面上に結像した眼底像を撮像することを特徴とする眼底カメラ。
　
【請求項２】　前記撮像手段は色分解光学系を有する３板式テレビカメラであり、前記第３の光学系は全光学系の射出瞳が常に略無限遠になるように、焦点距離又はレンズ位置を設定する手段を有する請求項１に記載の眼底力メラ。       」
　
３−（２）刊行物
　
　当審で通知した取消の理由で引用した刊行物１（特開昭５４−６２６９１号公報）には、「眼科装置」に関して、以下の事項が記載・図示されている。
　
　「本発明は観察光路および照明光路を有する、眼底の立体検査および記録のための眼科装置に関する。・・・眼底カメラもしくは網膜カメラの名で公知の高価な光学装置は３０°の範囲で人の網膜の像を無反射に、平面化して、直接観察および（または）写真記録のための十分な解像力をもつて示す。・・・３０°よりも大きいたとえば６０°または１００°の撮影角度を有する網膜検査用眼科装置も公知である。この公知装置は角膜と直接接触しなければ使用できず、かつ大きい像野角度のため細部解像力が低くなる重要な欠点を有する。この装置の取り扱いは高度の熟練を要する。・・・実施されない。」（２頁左上欄１６行−左下欄１行）、
　「本発明の目的は公知装置の欠点を示さず、すべての眼科検査の要求を合理的に充足し、さらに経済的研究の実現を可能にする、網膜の検査および写真撮影のための最大像野角５０°の新規眼科装置を得ることである。」（２頁左下欄２−６行）、
　「結像倍率したがつて像野角を変化するため観察光路の第４レンズ群は有利に可変焦点距離に形成される。本発明によりこのレンズ群には種々の離れた値の焦点距離または連続的に変化する値の焦点距離を与えることができる。」（２頁右下欄９−１３行）、
　「本発明の有利な実施例によればこの転向系は旋回ミラーからなる。この旋回ミラーの記録位置で観察光路は記録装置、有利にカメラに向けられ、この装置は・・・記録のための光学要素を含む。」（３頁左上欄１−６行）、
　「本発明によつて達成される利点は本発明の装置が眼底の観察、同時観察および記録のためのユニツト組合せ系を形成し」（３頁左上欄９−１１行）、
　「観察光路内のレンズ群の焦点距離変化による像野角５０°から３０°への迅速切替により、過去へ戻る経過研究が中断されず、慣れた印象および寸法が妨げにならない。したがつて異なる倍率への迅速切替は重要な診断補助手段である。というのは大きい像野が眼底を広く示し、その直後に高い倍率で細部をよく観察し、記録することができるからである。」（３頁右上欄９−１７行）、
　「とくに本発明の装置の利点は５０°の大きい眼底像野における・・・・像の立体観察および記録を、眼までの自由距離５０ｍｍで公知３０°の画角、・・・・なしに達成しうることにある。」（３頁右上欄１８行−左下欄４行）、
　「眼底３および瞳孔１７を有する患者の眼１の後方の観察光路に主対物レンズ２、孔ミラー１４、レンズ群４，５および６が配置される。レンズ５と６の間に視野絞り１８がある。正視眼の場合、主対物レンズ２の焦点に眼底３の像３’が生ずる。この像はレンズ群４によつて無限遠に結像される。続くレンズ群５は視野絞りに１８の位置に中間実像３’’をつくる。レンズ群６は種々の焦点距離を有することができ、その際焦点距離は離れた値を有し、または連続的に変化する。このレンズ群６の焦点距離の変化によつて結像倍率したがつて像野角が変化される。レンズ群６により中間像３’’は無限遠に結像される。・・・レンズ群２，４，５および６は・・・記録のため。結像品質を害することなくデセントリックに使用することもでき・・・行われる。」（３頁左下欄６行−右下欄６行）、
　「記録および（または）同時観察のため、光路は図示の実施例では旋回ミラー１０として形成された転向要素によつて記録装置２１へ向けられる。」（３頁右下欄１２−１４行）、
図１（特に、「眼底３」、「主対物レンズ２」、「像３’」、「孔ミラー１４」、「レンズ群４，５」、「中間実像３’’」、「視野絞り１８」、「レンズ群６」、「記録装置２１」）。
　
　当審で通知した取消の理由で引用した刊行物２（特開平５−４１８６９号公報）には、眼底を撮影する「カラー撮影用光学系」に関して、以下の事項が記載・図示されている。
　
　「撮像素子を有する三板式の色分解光学系に入射して、該撮像素子に導かれる光束が前記撮像素子の側で略テレセントリックであることを特徴とするカラー撮影用光学系。」（請求項１）、
「開口絞りを通過してきた光束をフィールドレンズの近傍で結像させ、そのフィールドレンズを通過してきた光束をリレーレンズを介して撮像素子を有する三板式の色分解光学系に導き、前記撮像素子に結像させるカラー撮影用光学系において、前記リレーレンズを通過した光束が前記色分解光学系の側で略テレセントリックとなるように前記フィールドレンズの焦点距離を変更可能としたこと特徴とするカラー撮影用光学系。」（請求項２）、
　「撮影光学系Ｂは合焦レンズ22、結像レンズ23、変倍レンズ24、クイックリターンミラー25、フィールドレンズ26、反射ミラー27、ＴＶ用のリレーレンズ28、色分解光学系１を有する。穴空きミラー19、対物レンズ20は照明光学系Ａと撮影光学系Ｂとに共用されている。クイックリターン25はフィルム29に眼底像を結像させるときには撮影光学系Ｂの光路から退避される。変倍レンズ24は、画角として20°が選択されたときに撮影光学系Ｂの光路に挿入される。フィールドレンズ26は画角45°が選択された時に撮影光学系Ｂの光路に挿入される。フィールドレンズ26′は画角20°が選択された時に挿入される。」（【００１４】）、
　「この眼底カメラの撮影光学系Ｂは、図２、図３に示すように模式的に示される。この図２、図３において、図１に示す光学要素と同一構成要素には同一符号が示されている。その図２は、画角45°で眼底Ｒを撮影するときの主光線を示すものである。その眼底Ｒは対物レンズ20により空中像30としていったん結像される。その空中像30を形成する主光線は開口絞りとして機能する穴空きミラー19の穴31の中心31′を通る。その中心31´を通った主光線は、合焦レンズ22、結像レンズ23に導かれ、フィールドレンズ26の手前で再び空中像32が形成される。この空中像32を形成する光束であって、CCD７、８、９の周辺部に導かれる主光線はＴＶ用リレーレンズ28により撮影光軸10に対して平行光束とされる。」（【００１５】）、
　「すなわち、撮像素子７、８、９の側（色分解光学系１の側）でテレセントリックとなり、色分解光学系１に導かれる。そして、その主光線は干渉膜５、６を撮影光軸10と平行に通過し、CCD７、８、９に導かれる。」（【００１６】）、
　「画角20°で眼底Ｒを撮影するときには、図３に示すように変倍用レンズ24が撮影光学系Ｂの光路に挿入される。このときにはフィールドレンズ26は撮影光学系Ｂの光路から退避される。そして、フィールドレンズ26が有する焦点距離とは異なる焦点距離を有するフィールドレンズ26′が撮影光学系Ｂの光路に挿入される。これにより、色分解光学系１に入射する光束がテレセントリックとなる。この実施例では、撮影光学系Ｂの画角を変更するときには、フィールドレンズ26とフィールドレンズ26´とを交換することにしたが、フィールドレンズ26を主レンズとしてそのパワーを基準とし、画角を45°から画角を20°に変更するときに、撮影光学系Ｂの光路に図５に示すように補助レンズ26aを挿入するようにしてもよい。なお、図２、図３において、35はＴＶのリレーレンズ28の入射瞳である。画角45°で撮影するときのＴＶのリレーレンズ28の入射瞳35の光軸上の位置と画角20°で撮影するときのＴＶのリレーレンズ28の入射瞳35の光軸上の位置とは同じである。」（【００１７】）、
　「図７は本発明に係わるカラー撮影用光学系の第３実施例を示し、変倍レンズ24をフィールドレンズ26とリレーレンズ28との間に設けて、変倍レンズ24を撮影条件に応じて挿脱させると共にその変倍レンズ24の挿入に応じてフィールドレンズ26とフィールドレンズ26´とを交換して、色分解光学系１に入射する光束をテレセントリックとする光束とすることもできる。」（【００２２】）、
　「眼底カメラには、被検眼21に対する視度補正を行うために合焦レンズ22が設けられている。ここで、合焦レンズ22を撮影光軸10に沿って前後させると、入射瞳35が撮影光軸10に沿って前後する。この入射瞳35の移動は、合焦レンズ22の移動に連動して連続してフィールドレンズ26のパワーを変化させて補正しなくてはならない。これには、少なくとも２群のレンズ26b、26ｃが必要となる。この２群のレンズ26b、26cはこの第２実施例ではほぼ同じパワーを有している。この２群のレンズ26b、26cは空中像32を挟んで対称位置に設けられている。合焦レンズ22を基準の位置から矢印Ａ方向に移動させるときには、レンズ26b、26cが接近する方向（矢印Ａ´方向）にレンズ26b、26cを等量に駆動して、入射瞳35の位置の補正を行う。合焦レンズ22を矢印Ｂ方向に移動させるときには、レンズ26b、26cが離反する方向（矢印Ｂ´方向）にレンズ26b、26cを対称的に駆動して入射瞳の位置を補正する。変倍方式がズームの場合には、同様にズームに連動して連続的にレンズ26b、26cを変化させればよい。」（【００２５】）、
図１（本発明に係わるカラー撮影用光学系の光学図）、図２（図１に示すカラー撮影用光学系の視野45度の主光線の光路を示す模式図）、図３（図１に示すカラー撮影用光学系の視野20度の主光線の光路を示す模式図）、図７（本発明に係わるカラー撮影用光学系の第３実施例を示す図）、図８（第４実施例を説明するための撮影光学系の部分光学図）、図１１（カラーシェーディング現象を説明するための色分解光学系図）、図１２（従来のカラー撮影用光学系の主光線の視野45度の光路を示す要部図）、図１３（従来のカラー撮影用光学系の主光線の視野20度の光路を示す要部図）。
　
　当審で通知した取消の理由で引用した刊行物３（ＺＥＩＳＳ　眼科用光学機器　総合カタログ’７８）には、「眼底写真撮影装置」に関して、以下の事項が記載・図示されている。
　
　仕様として、「基本装置」項目に、「観察倍率・・・・・１６×」、「撮影部」項目に「カメラ・・・・・専用カメラハウジング」、「画角・・・・・３０°」、「撮影倍率・・・・・２．５×（補助レンズ仕様　５×）」、「画像寸法・・・・・２２．５φ（補助レンズ仕様　２４×３６ｍｍ）」、撮影例として、左上図（３０°画角絞り使用。３５っｍフィルム上で倍率２．５×、像サイズ２２．５φ）、左下図（２×補助レンズ使用。倍率５×、像サイズ２４ｍｍ×３６ｍｍ）。
　
３−（３）対比・判断
　
１）本件第２発明について
　
　刊行物１の記載・図示によれば、刊行物１に記載された眼底の観察・記録を行う眼科装置においては、「主対物レンズ２、レンズ群４、レンズ群５」が、患者の眼底３を、「孔ミラー１４」を介して、「視野絞り１８」の位置に中間実像３’’として結像し、離散的な又は連続的に変化する焦点距離を有する「レンズ群６」が、中間実像３’’を低倍率と高倍率の２種類の倍率で再結像し、また、眼底３の記録のために、「記録装置（有利にカメラ）」が離散的な又は連続的に変化する焦点距離を有するレンズ群６の眼底３の像の再結像位置に配置されている。
　さらに、視野絞り１８の位置に中間実像３’’が結像していることから、視野絞りが、「主対物レンズ２、レンズ群４、レンズ群５」の眼底３の共役位置に配置されていること、また、記録装置は、レンズ群６の変倍倍率に応じて記録装置の記録面上に結像した眼底像を記録していることが把握される。
　
　本件第２発明と刊行物１に記載された発明とを対比すると、刊行物１に記載された、「眼底の観察・記録を行う眼科装置」、「孔ミラー」、患者の眼底を孔ミラーを介して結像する「主対物レンズ２、レンズ群４、レンズ群５」、「主対物レンズ２、レンズ群４、レンズ群５」の眼底３の共役位置に配置された「視野絞り１８」、「主対物レンズ２、レンズ群４、レンズ群５」により視野絞りの位置に結像した中間実像３’’を低倍率と高倍率の２種類の倍率で再結像する「レンズ群６」及び「記録装置」は、本件第２発明における、「眼底カメラ」、「孔あきミラー」、「被検眼の眼底を孔あきミラーを介して結像する第１の光学系」、「第１の光学系の眼底共役位置に配置した視野絞り」、「第１の光学系により視野絞りの近傍に結像した眼底像を少なくとも２種類の倍率で再結像する第２の光学系」及び「記録手段」にそれぞれ相当するから、両者は、
「被検眼の眼底を孔あきミラーを介して結像する第１の光学系と、該第１の光学系の眼底共役位置に配置した視野絞りと、前記第１の光学系により前記視野絞りの近傍に結像した眼底像を少なくとも２種類の倍率で再結像する第２の光学系と、前記第２の光学系の眼底像の再結像位置に配置した記録手段とを有し、前記第２の光学系が低倍率時には前記記録手段の記録面上に結像した眼底像を記録し、前記第２の光学系が高倍率時には前記低倍率時よりも拡大されて前記記録面上に結像した眼底像を記録する眼底カメラ。」である点で一致し、以下の点で相違している。
　
（相違点１）
　本件第２発明においては、「記録手段」が「色分解光学系を有する３板式テレビカメラ」からなる「撮像手段」であるとともに、「視野絞り付近に設け、第２の光学系の結像倍率に応じて異なる焦点距離又は異なる配置に設定可能な」第３の光学系であって、「全光学系の射出瞳が常に略無限遠になるように、焦点距離又はレンズ位置を設定する手段を有する」第３の光学系や、「第２の光学系が低倍率時には視野絞りと共に撮像手段の撮像面上に結像した眼底像を撮像し、第２の光学系が高倍率時には視野絞りの像を含まず低倍率時よりも拡大されて撮像面上に結像した眼底像を撮像する」構成を備えているのに対して、
　刊行物１に記載された発明においては、「記録手段」については「有利にカメラ」と記載されているだけであり、かつ、上記の第３の光学系の構成や、「第２の光学系が低倍率時には視野絞りと共に撮像手段の撮像面上に結像した眼底像を撮像し、第２の光学系が高倍率時には視野絞りの像を含まず低倍率時よりも拡大されて撮像面上に結像した眼底像を撮像する」構成を備えていない点。
　
　上記（相違点１）について検討する。
　刊行物２には、刊行物１に記載された眼底カメラと同じ技術分野に属する、眼底を撮影するカラー撮影用光学系であって、（ａ）眼底像を記録する記録手段として、色分解光学系を有する３板式テレビカメラからなる撮像手段を用いるとともに、撮像手段に入射する主光線の傾き（入射角）が位置により異なることを原因として発生するカラーシェーディングを考慮して、変倍時の光線の傾き・光束の広がりを調整するための変倍光学系の結像倍率に応じて異なる焦点距離又は異なる配置に設定可能なフィールドレンズであって、撮像手段に入射する光束が略テレセントリックとなるように、すなわち、射出瞳が常に略無限大となるように、フィールドレンズの焦点距離又はレンズ位置を設定する手段を有するフィールドレンズを変倍光学系の前方に配置すること、また、眼底像の後方近傍位置にフィールドレンズを配置することが記載されている。
　
　また、刊行物３には、（ｂ）眼底カメラにおいて、低倍率時には、視野を制限する絞りと共に、記録面上に結像した眼底像を記録し、高倍率時には、低倍率時よりも拡大されて記録面上に結像した眼底像のみを記録することが記載されている。
　
　ここで、刊行物１に記載された眼底カメラにおいて、記録手段（カメラ）として、色分解光学系を有する３板式テレビカメラからなる撮像手段を採用する程度のことは当業者であれば適宜になし得ることであり、また、眼底像は視野絞りの像と共に記録装置の記録面を含む平面上に結像されることや、変倍光学系である第２の光学系の変倍倍率を上げていくに従って、眼底像及び視野絞りの像は記録装置の記録面に対して相対的に大きくなっていくことは当業者にとって自明の事項であって、さらに、第２の光学系の低倍率・高倍率時の倍率をどのように設定し、低倍率時・高倍率時にどのような内容の眼底像を記録面上に結像して記録するかは、当業者が適宜に設定できる技術的事項である。
　してみると、刊行物１に記載された眼底カメラにおいて、記録手段の構成や高倍率・低倍率時に記録面上に結像・記録される内容に関して、刊行物２に記載された（ａ）記録手段として色分解光学系を有する３板式テレビカメラからなる撮像手段を用いるとともに、色分解光学系を有する３板式テレビカメラにおけるカラーシェーディングを考慮して、変倍時の光線の傾き・光束の広がりを調整するためのフィールドレンズを配置する技術及び刊行物３に記載された（ｂ）に係る技術を採用し、色分解光学系を有する３板式テレビカメラからなる撮像手段を記録手段として備え、変倍光学系である第２の光学系の結像倍率に応じて異なる焦点距離又は異なる配置に設定可能なフィールドレンズであって、射出瞳が常に略無限遠になるように、焦点距離又はレンズ位置を設定する手段を有するフィールドレンズを「第３の光学系」として、変倍光学系である第２の光学系の前方で、眼底像の後方近傍位置に配置した構成とするとともに、「第２の光学系が低倍率時には視野絞りと共に撮像手段の撮像面上に結像した眼底像を撮像し、第２の光学系が高倍率時には視野絞りの像を含まず低倍率時よりも拡大されて撮像面上に結像した眼底像を撮像する」構成とする程度のことは、当業者であれば容易になし得ることである。
　そして、「第３の光学系」を、第２の光学系の前方で、眼底像の後方近傍位置に配置した際に、その配置位置を、第２の光学系により変倍される第１の光学系による眼底像の後方近傍位置とし、「第３の光学系」を、第１の光学系の眼底共役位置（眼底像位置）に配置されている「視野絞り」付近に設けた構成とする程度のことは当業者であれば適宜になし得る設計的事項であり、また、「第３の光学系」が「射出瞳が常に略無限遠になるように、焦点距離又はレンズ位置を設定する手段を有する」ということは、「第３の光学系」が、「全光学系」の射出瞳が常に略無限遠になるように、焦点距離又はレンズ位置を設定する手段を有することにもなることは、当業者にとって自明の事項にすぎない。
　
　よって、本件第２発明は、刊行物１−３に記載された発明に基いて当業者が容易に発明をすることができたものである。
　
２）本件第１発明について
　
　本件第１発明と刊行物１に記載された発明とを対比すると、両者は、
「被検眼の眼底を孔あきミラーを介して結像する第１の光学系と、該第１の光学系の眼底共役位置に配置した視野絞りと、前記第１の光学系により前記視野絞りの近傍に結像した眼底像を少なくとも２種類の倍率で再結像する第２の光学系と、前記第２の光学系の眼底像の再結像位置に配置した記録手段とを有し、前記第２の光学系が低倍率時には前記記録手段の記録面上に結像した眼底像を記録し、前記第２の光学系が高倍率時には前記低倍率時よりも拡大されて前記記録面上に結像した眼底像を記録する眼底カメラ。」である点で一致し、以下の点で相違している。
　
（相違点２）
　本件第１発明においては、「記録手段」が「撮像手段」であるとともに、「視野絞り付近に設け、第２の光学系の結像倍率に応じて異なる焦点距離又は異なる配置に設定可能な」第３の光学系や、「第２の光学系が低倍率時には視野絞りと共に撮像手段の撮像面上に結像した眼底像を撮像し、第２の光学系が高倍率時には視野絞りの像を含まず低倍率時よりも拡大されて撮像面上に結像した眼底像を撮像する」構成を備えているのに対して、
　刊行物１に記載された発明においては、「記録手段」については「有利にカメラ」と記載されているだけであり、かつ、上記の第３の光学系の構成や、「第２の光学系が低倍率時には視野絞りと共に撮像手段の撮像面上に結像した眼底像を撮像し、第２の光学系が高倍率時には視野絞りの像を含まず低倍率時よりも拡大されて撮像面上に結像した眼底像を撮像する」構成を備えていない点。
　
　上記（相違点２）について検討する。
　刊行物２には、刊行物１に記載された眼底カメラと同じ技術分野に属する、眼底を撮影するカラー撮影用光学系であって、（ａ’）眼底像を記録する記録手段として、撮像手段を用いるとともに、変倍時の光線の傾き・光束の広がりを調整するために、変倍光学系の結像倍率に応じて異なる焦点距離又は異なる配置に設定可能なフィールドレンズを変倍光学系の前方に配置すること、また、眼底像の後方近傍位置にフィールドレンズを配置することが記載されている。
　
　ここで、刊行物１に記載された眼底カメラにおいて、記録手段（カメラ）として、撮像手段を採用する程度のことは当業者であれば適宜になし得ることであり、また、眼底像は視野絞りの像と共に記録装置の記録面を含む平面上に結像されることや、変倍光学系である第２の光学系の変倍倍率を上げていくに従って、眼底像及び視野絞りの像は記録装置の記録面に対して相対的に大きくなっていくことは、当業者にとって自明の事項であって、さらに、第２の光学系の低倍率・高倍率時の倍率をどのように設定し、低倍率・高倍率時にどのような内容の眼底像を記録面上に結像して記録するかは、当業者が適宜に設定できる技術的事項である。
　してみると、刊行物１に記載された眼底カメラにおいて、記録手段の構成や低倍率・高倍率時に記録面上に結像・記録される内容に関して、刊行物２に記載された、（ａ’）記録手段として撮像手段を用いるとともに、変倍時の光線の傾き・光束の広がりを調整するためのフィールドレンズを配置する技術及び刊行物３に記載された上記（ｂ）に係る技術を採用し、撮像手段を記録手段として備え、変倍光学系である第２の光学系の結像倍率に応じて異なる焦点距離又は異なる配置に設定可能なフィールドレンズを「第３の光学系」として、変倍光学系である第２の光学系の前方で、眼底像の後方近傍位置に配置した構成とするとともに、「第２の光学系が低倍率時には視野絞りと共に撮像手段の撮像面上に結像した眼底像を撮像し、第２の光学系が高倍率時には視野絞りの像を含まず低倍率時よりも拡大されて撮像面上に結像した眼底像を撮像する」構成とする程度のことは、当業者であれば容易になし得ることである。
　そして、「第３の光学系」を、第２の光学系の前方で、眼底像の後方近傍位置に配置した際に、その配置位置を、第２の光学系により変倍される第１の光学系による眼底像の後方近傍位置として、「第３の光学系」を、第１の光学系の眼底共役位置（眼底像位置）に配置されている「視野絞り」付近に設けた構成とする程度のことは当業者であれば適宜になし得る設計的事項にすぎない。
　
　よって、本件第１発明は、刊行物１−３に記載された発明に基いて当業者が容易に発明をすることができたものである。
　
３−（４）まとめ
　
　以上のとおりであるから、本件請求項１、２に係る発明は、刊行物１−３に記載された発明に基いて当業者が容易に発明をすることができたものであるから、特許法第２９条第２項の規定により特許を受けることができない。
　したがって、本件請求項１，２に係る発明についての特許は拒絶の査定をしなければならない特許出願に対してされたものと認める。
　よって、結論のとおり決定する。
【異議決定日】
平成１６年３月２３日（２００４．３．２３）
【訂正の要旨】
審決（決定）の【理由】欄参照。
（５４）【発明の名称】
眼底カメラ
（５７）【特許請求の範囲】
　【請求項１】　被検眼の眼底を孔あきミラーを介して結像する第１の光学系と、該第１の光学系の眼底共役位置に配置した視野絞りと、前記第１の光学系により前記視野絞りの近傍に結像した眼底像を少なくとも２種類の倍率で再結像する第２の光学系と、
前記視野絞り付近に設け、前記第２の光学系の結像倍率に応じて異なる焦点距離又は異なる配置に設定可能な第３の光学系と、前記
撮像
有し、前記第２の光学系が低倍率時には前記視野絞りと共に前記撮像手段の撮像面上に結像した眼底像を撮像し、前記第２の光学系が高倍率時には前記視野絞りの像を含まず前記低倍率時よりも拡大されて前記撮像面上に結像した眼底像を撮像する
　【請求項２】　前記
撮像
１
【発明の詳細な説明】
　【０００１】
　【産業上の利用分野】
　本発明は、眼科医院や集団検診等で使用される眼底カメラに関するものである。
　【０００２】
　【従来の技術】
　従来の眼底カメラは、できるだけ広い範囲の眼底を結像し、この眼底像をフィルム面の直前の視野絞り上に一旦結像し、ここにおいて眼底像の周辺に存在するフレアや画質の劣化している部分を除き、良好な部分のみをフィルム面に記録している。
　【０００３】
　【発明が解決しようとする課題】
　しかしながらこの従来例では、変倍手段を有する撮影光学系により拡大撮影をする場合には、視野絞りに結像した眼底像は、画質が良好であるにも拘らず、フィルムの有効部が視野絞りにより制限されているため、眼底像全体を記録することが不可能である。
　【０００４】
　本発明の目的は、上述の問題点を解消し、拡大撮影時に
撮像
撮像
　【０００５】
　【課題を解決するための手段】
　上述の目的を達成するための本発明に係る眼底カメラは、被検眼の眼底を孔あきミラーを介して結像する第１の光学系と、該第１の光学系の眼底共役位置に配置した視野絞りと、前記第１の光学系により前記視野絞りの近傍に結像した眼底像を少なくとも２種類の倍率で再結像する第２の光学系と、
前記視野絞り付近に設け、前記第２の光学系の結像倍率に応じて異なる焦点距離又は異なる配置に設定可能な第３の光学系と、前記
撮像
有し、前記第２の光学系が低倍率時には前記視野絞りと共に前記撮像手段の撮像面上に結像した眼底像を撮像し、前記第２の光学系が高倍率時には前記視野絞りの像を含まず前記低倍率時よりも拡大されて前記撮像面上に結像した眼底像を撮像する
　【０００６】
　【作用】
　上述の構成を有する眼底カメラは、眼底像を
視野絞り
視野絞り
撮像
撮像
　【０００７】
　【実施例】
　本発明を図示の実施例に基づいて詳細に説明する。
　図１は実施例の構成図であり、被検眼Ｅと対向している対物レンズ１の背後の光路上には、中央部に開口を有する孔あきミラー２、撮影レンズ３、フィールドレンズ４、視野絞り５、図示しない変倍手段により光路を移動する結像レンズ６、撮像手段７が配置されている。撮像手段７には記憶手段を内蔵する制御手段１１が接続され、制御手段１１にはテレビモニタ１２、撮影スイッチ１３がそれぞれ接続されている。また、孔あきミラー２の入射方向の光路上には、レンズ８、リング絞り９、光源１０が配置されている。ここで、リング絞り９はレンズ８に関して孔あきミラー２と略共役に配置されている。
　【０００８】
　光源１０を発した光束は、リング絞り９の開口部、レンズ８を通り、孔あきミラー２のミラー部により左方に反射され、対物レンズ１を通り被検眼Ｅの眼底Ｅｒを照明する。ここでの反射光束は、瞳孔Ｅｐ、対物レンズ１、孔あきミラー２の開口部、撮影レンズ３、フィールドレンズ４を通り、視野絞り５の近傍に眼底像として一旦結像し、結像レンズ６により
撮像
　【０００９】
　通常撮影時には、結像レンズ６を低倍率側に移動する。この結像レンズ６により、視野絞り５上の眼底像Ｐｒは視野絞り像Ｐｓと共に
撮像
　【００１０】
　拡大撮影時には、結像レンズ６を高倍率側に移動する。結像レンズ６により視野絞り５の開口部の眼底像Ｐｒが拡大されて、
撮像
　【００１１】
　このように何れの撮影モードにおいても、
撮像
　【００１２】
　ところで、結像レンズ６の移動に伴い、撮影光学系の射出瞳は移動する。３板式テレビカメラを撮像手段として用いる場合には、テレビカメラの色分解光学系の特性のため、射出瞳が無限遠からずれると色のシェーディングが発生する。従って、射出瞳を略無限遠に常に保つために、結像レンズ６の結像倍率の変化に伴い、フィールドレンズ４を適切な屈折力を有するレンズと交換したり又は追加して、フィールドレンズ４の屈折力を変化させる必要がある。或いは、フィールドレンズ４を光路に沿って移動させてもよい。
　【００１３】
　一般に、眼底カメラは記録媒体に３５ｍｍ又はインスタントフィルム等を用い、他方、撮影手段に多種類の装置を用いており、撮影者が好みのものを選択できるようにするとよい。例えば、着脱自在のマウントを２個所に設け、フィールドレンズ４、視野絞り５及び結像レンズ６を残りの光学部材から成る眼底カメラ本体及び撮像手段７から分離できるようにし、これらの部材を変倍機能を有するテレビアダプタとして用いると更に至便性が増す。
　【００１４】
　【発明の効果】
　以上説明したように本発明に係る眼底カメラは、拡大撮影時に
視野
撮像
視野
撮像
【図面の簡単な説明】
　【図１】
　実施例の構成図である。
　【図２】
　検出された眼底像を表示するテレビモニタの正面図である。
　【符号の説明】
　１　対物レンズ
　３　撮影レンズ
　４　フィールドレンズ
　５　視野絞り
　６　結像レンズ
　７　撮像手段
　１０　光源
　１１　制御手段
　１２　テレビモニタ
　１３　撮影スイッチ